(57)【要約】      （修正有）【課題】表示装置への入力操作を簡単に行うことができるようにする。【解決手段】作業機は、操縦操作を行う操縦装置を備えた作業機であって、当該作業機を操縦操作が可能な操縦可能状態と操縦装置による操縦操作が操縦可能状態よりも制限される操縦制限状態とに制御可能な制御装置と、表示部と入力操作部とを有する表示装置と、を備え、制御装置は、入力操作部で所定の入力操作が行われた際に操縦制限状態にすることを特徴とする。作業機は、作業機の周辺画像を撮像する撮像装置を備え、表示装置は、操縦可能状態であるときには表示部に撮像装置が撮像した前記周辺画像を表示させる。【選択図】図４Ａ
2018104931.tif 000002
【特許請求の範囲】
【請求項１】
操縦操作を行う操縦装置を備えた作業機であって、
当該作業機を前記操縦操作が可能な操縦可能状態と前記操縦装置による操縦操作が前記操縦可能状態よりも制限される操縦制限状態とに制御可能な制御装置と、
表示部と入力操作部とを有する表示装置と、
を備え、
前記制御装置は、前記入力操作部で所定の入力操作が行われた際に前記操縦制限状態にすることを特徴とする作業機。
【請求項２】
作業機の周辺画像を撮像する撮像装置を備え、
前記表示装置は、前記操縦可能状態であるときには前記表示部に前記撮像装置が撮像した前記周辺画像を表示させることを特徴とする請求項１に記載の作業機。
【請求項３】
前記制御装置は、前記入力操作部で前記所定の入力操作が行われた際に、前記操縦制限状態にすると共に、前記表示部に、前記作業機に関する設定を前記入力操作部を用いて行う入力画面を表示させることを特徴とする請求項１又は２に記載の作業機。
【請求項４】
前記所定の入力操作が行われる前に操縦可能状態であったか操縦制限状態であったかを記憶する記憶部を備え、
前記制御装置は、前記所定の入力操作が行われた後、前記表示装置が前記入力操作部に対する入力の受付を完了したときに、切換前状態が操縦可能状態であった場合には前記操縦制限状態から前記操縦可能状態に切り換え、前記切換前状態が操縦制限状態であった場合には操縦制限状態に維持することを特徴とする請求項１又は２に記載の作業機。
【請求項５】
前記制御装置は、手動により前記操縦可能状態と前記操縦制限状態とに切り換えるためのロック操作部を備えていることを特徴とする請求項１〜４のいずれか１項に記載の作業機。
【請求項６】
前記入力操作部として、オペレータの回転操作および押圧操作を受け付ける第１操作具と、オペレータによる押圧操作を受け付ける第２操作具および第３操作具とを備え、
前記所定の操作は、前記第１操作具に対する押圧操作であり、
前記制御装置は、前記第１操作具の回転操作に応じて前記表示部に表示される複数の選択項目のうちの選択項目候補を変更させ、前記第２操作具の押圧操作により選択項目を決定し、前記第３操作具の押圧操作に応じて前記選択項目を決定する前の状態に戻ることを特徴とする請求項１〜５のいずれか１項に記載に作業機。
【発明の詳細な説明】
【技術分野】
【０００１】
本発明は、例えば、バックホー等の作業機に関する。
【背景技術】
【０００２】
従来、特許文献１に開示された作業機が知られている。
特許文献１に開示された作業機は、表示装置に対する入力操作を行うことによって、作業機の設定を行うことができる。
【先行技術文献】
【特許文献】
【０００３】
【特許文献１】特開２０１３−０２３９８２号公報
【発明の概要】
【発明が解決しようとする課題】
【０００４】
しかしながら、特許文献１では、表示装置に対する入力操作中の作業機の動作制限については考慮されていない。
そこで本発明は、上記課題に鑑み、表示装置への入力操作中に作業機の動作制限を簡単に行うことができる作業機を提供することを目的とする。
【課題を解決するための手段】
【０００５】
本発明の一態様に係る作業機は、操縦操作を行う操縦装置を備えた作業機であって、当該作業機を前記操縦操作が可能な操縦可能状態と前記操縦装置による操縦操作が前記操縦可能状態よりも制限される操縦制限状態とに制御可能な制御装置と、表示部と入力操作部とを有する表示装置と、を備え、前記制御装置は、前記入力操作部で所定の入力操作が行われた際に前記操縦制限状態にする。
【発明の効果】
【０００６】
本発明によれば、表示装置への入力操作中に作業機の動作制限を簡単に行うことができる。
【図面の簡単な説明】
【０００７】
【図１】第１実施形態における作業機の制御ブロックの概略図である。
【図２】第１実施形態における作業機の油圧システム（油圧回路）の概略図である。
【図３】メニュー画面、運転画面、設定画面を表示する表示部の一例である。
【図４Ａ】メニュー画面、運転画面及び設定画面の画面推移を示すフローチャートである。
【図４Ｂ】メニュー画面、運転画面及び設定画面の画面推移を示すフローチャートである。
【図５】ＡＩ制御設定を説明する説明図である。
【図６】アーム制限設定を説明する説明図である。
【図７】第２実施形態における作業機の制御ブロックの概略図である。
【図８】第２実施形態における作業機の油圧システム（油圧回路）の概略図である。
【図９】作業機の油圧システムの変形例を示す図である。
【図１０】第３実施形態におけるメニュー画面、運転画面及び設定画面の画面推移を示すフローチャートである。
【図１１】作業機の概略側面図である。
【図１２】作業機の一部の概略平面図である。
【発明を実施するための形態】
【０００８】
以下、本発明の一実施形態について、図面を適宜参照しつつ説明する。
［第１実施形態］
図１１は、本実施形態に係る作業機１の全体構成を示す概略側面図である。図１２は、作業機１の概略平面図である。本実施形態では、作業機１として旋回作業機であるバックホーが例示されている。
【０００９】
先ず、作業機１の全体構成を説明する。
図１１、図１２に示すように、作業機１は、機体（旋回台）２と、走行装置３と、作業装置４とを備えている。機体２上にはキャビン５が搭載されている。キャビン５の室内には運転席６が設けられている。
本実施形態においては、作業機１の運転席６に着座した運転者（オペレータ）の前側（図１１、図１２の矢印Ａ１方向）を前方、運転者の後側（図１１、図１２の矢印Ａ２方向）を後方、運転者の左側（図１１の手前側、図１２の矢印Ｂ１方向）を左方、運転者の右側（図１１の奥側、図１２の矢印Ｂ２方向）を右方として説明する。
【００１０】
また、前後方向Ｋ１に直交する方向である水平方向を機体幅方向Ｋ２（図１２参照）として説明する。機体２の幅方向の中央部から右部、或いは、左部へ向かう方向を機体外方として説明する。言い換えれば、機体外方とは、機体幅方向Ｋ２であって機体２の幅方向の中心から離れる方向のことである。機体外方とは反対の方向を、機体内方として説明する。言い換えれば、機体内方とは、機体幅方向Ｋ２であって機体２の幅方向の中心に近づく方向である。
【００１１】
図１１に示すように、走行装置３は、左側に設けられた走行体３Ｌと、右側に設けられた走行体３Ｒとを有する。走行体３Ｌ及び走行体３Ｒは、駆動輪１１ａと、従動輪１１ｂと、複数の転輪１１ｅと、駆動輪１１ａ、従動輪１１ｂ、及び転輪１１ｅを回転自在に支持するフレーム１１ｃと、駆動輪１１ａ、従動輪１１ｂ、及び転輪１１ｅに架け渡されたベルト１１ｄとを有するクローラ式の走行装置である。走行体３Ｌのフレーム１１ｃには、第１走行モータＭＬが支持されており、第１走行モータＭＬの動力が走行体３Ｌの駆動輪１１ａに伝達される。走行体３Ｒのフレーム１１ｃには、第２走行モータＭＲが支持されており、第２走行モータＭＲの動力が走行体３Ｒの駆動輪１１ａに伝達される。
【００１２】
走行装置３の前部には、ドーザ装置７が装着されている。ドーザ装置７は、ドーザシリンダを伸縮することにより昇降（ブレードを上げ下げ）させることができる。
機体２は、走行装置３上に旋回ベアリング８を介して縦軸（上下の方向に延伸する軸心）回りに旋回自在に支持されている。機体２は、油圧モータ（油圧アクチュエータ）からなる旋回モータＭＴによって旋回駆動される。機体２は、縦軸回りに旋回する旋回基板９と、ウエイト１０とを有している。旋回基板９は、鋼板等から形成されており、旋回ベアリング８に連結されている。ウエイト１０は、機体２の後部に設けられている。機体２の後部には、原動機Ｅ１が搭載されている。原動機Ｅ１は、ディーゼルエンジンである。なお、原動機Ｅ１は、電動モータであってもよいし、ディーゼルエンジン及び電動モータを有するハイブリッド型であってもよい。
【００１３】
機体２は、機体幅方向Ｋ２の中央のやや右寄りの前部に支持ブラケット１３を有している。支持ブラケット１３には、スイングブラケット１４が、縦軸回りに揺動自在に取り付けられている。スイングブラケット１４には、作業装置４が取り付けられている。
図１１に示すように、作業装置４は、ブーム１５と、アーム１６と、バケット（作業具）１７とを有している。ブーム１５の基部は、スイングブラケット１４に横軸（機体幅方向に延伸する軸心）回りに回動自在に枢着されている。これによって、ブーム１５が上下に揺動自在とされている。アーム１６は、ブーム１５の先端側に横軸回りに回動自在に枢着されている。これによって、アーム１６が前後或いは上下に揺動自在とされている。バケット１７は、アーム１６の先端側にスクイ動作及びダンプ動作可能に設けられている。作業機１は、バケット１７に代えて或いは加えて、油圧アクチュエータにより駆動可能な他の作業具（予備アタッチメント）を装着することが可能である。他の作業具（予備アタッチメント）としては、油圧ブレーカ、油圧圧砕機、アングルブルーム、アースオーガ、パレットフォーク、スイーパー、モア、スノウブロア等が例示できる。
【００１４】
スイングブラケット１４は、機体２内に備えられたスイングシリンダＣ２の伸縮によって揺動自在とされている。ブーム１５は、ブームシリンダＣ３の伸縮によって揺動自在とされている。アーム１６は、アームシリンダＣ４の伸縮によって揺動自在とされている。バケット１７は、バケットシリンダ（作業具シリンダ）Ｃ５の伸縮によってスクイ動作及びダンプ動作自在とされている。ドーザシリンダ、スイングシリンダＣ２、ブームシリンダＣ３、アームシリンダＣ４、バケットシリンダＣ５は、油圧シリンダ（油圧アクチュエ
ータ）によって構成されている。
【００１５】
図１２に示すように、キャビン５内の運転席６の左側には、機体２に設けられた操縦台１８Ｌが設けられている。また、運転席６の右側にも、機体２に設けられた操縦台１８Ｒが設けられている。操縦台１８Ｌ及び操縦台１８Ｒには、操縦装置１９が設けられている。操縦装置１９は、操縦台１８Ｌに取り付けられた操縦装置１９Ｌと、操縦台１８Ｒに取り付けられた操縦装置１９Ｒと、を有している。
【００１６】
図２は、作業機の油圧アクチュエータを作動させる油圧回路（油圧システム）の概略を示している。
図２に示すように、作業機１の油圧システムは、ブームシリンダＣ３、アームシリンダＣ４、バケットシリンダＣ５、旋回モータＭＴ等の作業系油圧アクチュエータと、第１走行モータＭＬ、第２走行モータＭＲ等の走行系油圧アクチュエータとを作動させるシステムである。なお、図２の油圧システムは、説明の便宜上、ドーザシリンダ及びスイングシリンダＣ２を制御する回路を省略している。
【００１７】
作業機１の油圧システムは、第１油圧ポンプＰ１と、第２油圧ポンプＰ２と、複数の制御弁３３を有している。第１油圧ポンプＰ１は、作業系油圧アクチュエータ及び走行系油圧アクチュエータに作動油を供給するポンプである。第１油圧ポンプＰ１は、例えば、定容量ポンプ、或いは、可変容量ポンプである。また、第２油圧ポンプＰ２は、信号用又は制御用等の作動油、即ち、パイロット油を供給するポンプである。複数の制御弁３３は、作業系油圧アクチュエータ、走行系油圧アクチュエータを制御する弁である。複数の制御弁３３には、油路３４を介して第１油圧ポンプＰ１が接続されている。
【００１８】
複数の制御弁３３は、ブームシリンダＣ３を制御するブーム制御弁３３Ｃ、アームシリンダＣ４を制御するアーム制御弁３３Ｄ、バケットシリンダＣ５を制御するバケット制御弁３３Ｅ、旋回モータＭＴを制御する旋回制御弁３３Ｆ、第１走行モータＭＬを制御する第１走行制御弁３３Ｇ、第２走行モータＭＲを制御する第２走行制御弁３３Ｈを含んでいる。
【００１９】
ブーム制御弁３３Ｃは、油路４３を介してブームシリンダＣ３に接続されている。アーム制御弁３３Ｄは、油路４４を介してアームシリンダＣ４に接続されている。バケット制御弁３３Ｅは、油路４５を介してバケットシリンダＣ５に接続されている。旋回制御弁３３Ｆは、油路４６を介して旋回モータＭＴに接続されている。第１走行制御弁３３Ｇは、油路（第１油路）４７を介して第１走行モータＭＬに接続されている。第２走行制御弁３３Ｈは、油路（第２油路）４８を介して第２走行モータＭＲに接続されている。
【００２０】
ブーム制御弁３３Ｃの受圧部には、ブーム電磁弁３７Ｃが接続されている。アーム制御弁３３Ｄの受圧部には、アーム電磁弁３７Ｄが接続されている。バケット制御弁３３Ｅの受圧部には、バケット電磁弁３７Ｅが接続されている。旋回制御弁３３Ｆの受圧部には、旋回電磁弁３７Ｆが接続されている。第１走行制御弁３３Ｇの受圧部には、前進電磁弁３７Ｇ１及び後進電磁弁３７Ｇ２が接続されている。第２走行制御弁３３Ｈの受圧部には、前進電磁弁３７Ｈ１及び後進電磁弁３７Ｈ２が接続されている。
【００２１】
即ち、複数の制御弁３３には、それぞれの制御弁３３に対応して、電磁弁３７（３７Ｃ、３７Ｄ、３７Ｅ、３７Ｆ、３７Ｇ１、３７Ｇ２、３７Ｈ１、あるいは、３７Ｈ２）が接続されている。各電磁弁３７には、油路（パイロット油路）４９を介して第２油圧ポンプＰ２が接続され、
当該電磁弁３７の開度に応じて当該電磁弁３７に対応する制御弁３３の受圧部に作用するパイロット圧が変化する。
【００２２】
ブーム制御弁３３Ｃ、アーム制御弁３３Ｄ、バケット制御弁３３Ｅ、旋回制御弁３３Ｆ、第１走行制御弁３３Ｇ、第２走行制御弁３３Ｈは、例えば、直動スプール形の切換弁である。複数の制御弁３３（３３Ｃ、３３Ｄ、３３Ｅ、３３Ｆ、３３Ｇ、３３Ｈ）のそれぞれは、当該制御弁３３に対応する複数の電磁弁３７を介して受圧部に作用するパイロット油によって、当該制御弁３３に供給された作動油の方向等を切り換え、作業系油圧アクチュエータ（ブームシリンダＣ３、アームシリンダＣ４、バケットシリンダＣ５、旋回モータＭＴ）、或いは、走行系油圧アクチュエータ（第１走行モータＭＬ、第２走行モータＭ
Ｒ）に供給される作動油の流量等を制御する。
【００２３】
作業系油圧アクチュエータは、操縦装置１９（操縦装置１９Ｌ、操縦装置１９Ｒ）によって操作される。操縦装置１９Ｌは、操縦台１８Ｌに揺動自在に支持された操作部材４０Ｌと、操作部材４０Ｌの揺動量を検出する第１操作検出部４１Ｌとを有している。操作部材４０Ｌは、操縦台１８Ｌに対して中立位置から、前、後、右、左に揺動自在なレバーである。第１操作検出部４１Ｌは、操作部材４０Ｌの前、後、右、左の中立位置からの揺動量（操作量）を検出するポテンションメータである。
【００２４】
操作部材４０Ｌをオペレータ等が操作すると、操作部材４０Ｌの操作量及び操作方向が第１操作検出部４１Ｌにより検出され、検出された操作量及び操作方向は、ＣＰＵ等から構成された制御部６０に入力される。制御部６０は、操作部材４０Ｌの操作量及び操作方向に応じて、旋回制御弁３３Ｆの受圧部に接続された旋回電磁弁３７Ｆのソレノイドを励磁し、当該旋回電磁弁３７Ｆの開度を制御する。その結果、旋回制御弁３３Ｆの受圧部にパイロット圧が作用し、当該旋回制御弁３３Ｆの位置が切り換えられ、当該位置に応じて旋回モータＭＴの回転方向が切り換えられる。
【００２５】
また、操作部材４０Ｌをオペレータ等が操作すると、操作部材４０Ｌの操作量及び操作方向が第１操作検出部４１Ｌにより検出され、制御部６０は、操作部材４０Ｌの操作量及び操作方向に応じて、アーム制御弁３３Ｄの受圧部に接続されたアーム電磁弁３７Ｄのソレノイドを励磁し、当該アーム電磁弁３７Ｄの開度を制御する。その結果、アーム制御弁３３Ｄの受圧部にパイロット圧が作用し、当該アーム制御弁３３Ｄの位置が切り換えられ、位置に応じてアームシリンダＣ４が伸縮する。
【００２６】
操縦装置１９Ｒは、操縦台１８Ｒに揺動自在に支持された操作部材４０Ｒと、操作部材４０Ｒの揺動量を検出する第２操作検出部４１Ｒとを有している。操作部材４０Ｒは、操縦台１８Ｒに対して中立位置から、前、後、右、左に揺動自在なレバーである。第２操作検出部４１Ｒは、操作部材４０Ｒの前、後、右、左の中立位置からの揺動量（操作量）を検出するポテンションメータである。
【００２７】
操作部材４０Ｒをオペレータ等が操作すると、操作部材４０Ｒの操作量及び操作方向が第２操作検出部４１Ｒにより検出され、検出された操作量及び操作方向は制御部６０に入力される。制御部６０は、操作部材４０Ｒの操作量及び操作方向に応じて、ブーム制御弁３３Ｃの受圧部に接続されたブーム電磁弁３７Ｃのソレノイドを励磁し、当該ブーム電磁弁３７Ｃの開度を制御する。その結果、ブーム制御弁３３Ｃの受圧部にパイロット圧が作用し、当該ブーム制御弁３３Ｃの位置が切り換えられ、当該位置に応じてブームシリンダＣ３が伸縮する。
【００２８】
また、操作部材４０Ｒをオペレータ等が操作すると、操作部材４０Ｒの操作量及び操作方向が第２操作検出部４１Ｒにより検出され、制御部６０は、操作部材４０Ｒの操作量及び操作方向に応じて、バケット制御弁３３Ｅの受圧部に接続されたバケット電磁弁３７Ｅのソレノイドを励磁し、当該バケット電磁弁３７Ｅの開度を制御する。その結果、バケット制御弁３３Ｅの受圧部にパイロット圧が作用し、当該バケット制御弁３３Ｅの位置が切り換えられ、位置に応じてバケットシリンダＣ５が伸縮する。
【００２９】
以上のように、操縦装置１９Ｌ及び操縦装置１９Ｒを操作することによって、機体２、ブーム１５、アーム１６、バケット（作業具）１７を操作することができる。
さて、操縦装置１９は、操縦装置１９Ｌ及び操縦装置１９Ｒの他に、操縦装置１９Ｆを備えている。操縦装置１９Ｆは、走行装置３、即ち、走行系油圧アクチュエータ（第１走行モータＭＬ及び第２走行モータＭＲ）を操作するための装置である。操縦装置１９Ｆは、当該操縦装置１９Ｆに対する操作量に応じて走行制御弁（第１走行制御弁３３Ｇ、第２走行制御弁３３Ｒ）の開度を変更することにより、第１走行モータＭＬ及び第２走行モータＭＲに供給する作動油の流量（供給量）を増減させる装置である。
【００３０】
具体的には、操縦装置１９Ｆは、第１走行ペダル（第１走行操作部）５１Ｌと、第１走行検出部５２Ｌと、第２走行ペダル（第２走行操作部）５１Ｒと、第２走行検出部５２Ｒとを有している。
第１走行ペダル５１Ｌは、運転席６の前方で且つ左に配置され、且つ、第１走行モータ
ＭＬの供給する作動油の流量を増減させる走行ペダルである。第１走行ペダル５１Ｌは、運転席６の下部に設けられたステップ等に横軸によって、前、後に揺動自在に支持されている。
【００３１】
第１走行検出部５２Ｌは、第１走行ペダル５１Ｌの前、後の中立位置からの揺動量（操作量）を検出するポテンションメータである。即ち、第１走行検出部５２Ｌは、第１走行ペダル５１Ｌが前に揺動した場合は、前操作量を検出する。また、第１走行検出部５２Ｌは、第１走行ペダル５１Ｌが後に揺動した場合は、後操作量を検出する。
第１走行検出部５２Ｌは、制御部６０に接続されている。第１走行検出部５２Ｌによって検出された第１走行ペダル５１Ｌの第１操作量（前操作量、後操作量）は、制御部６０に入力される。
【００３２】
制御部６０は、第１操作量（前操作量、後操作量）の大きさに応じて、前進電磁弁３７Ｇ１又は後進電磁弁３７Ｇ２に制御信号を出力して、前進電磁弁３７Ｇ１又は後進電磁弁３７Ｇ２の開度を設定する。したがって、第１走行ペダル５１Ｌを、例えば、オペレータが踏み込み、踏み込み量である第１操作量が第１走行検出部５２Ｌによって検出されると、制御部６０は、踏み込み量に応じて前進電磁弁３７Ｇ１又は後進電磁弁３７Ｇ２の開度を設定する。そのため、第１走行制御弁３３Ｇは前進電磁弁３７Ｇ１又は後進電磁弁３７Ｇ２の開度に応じて開き、第１走行制御弁３３Ｇから油路４７に流れる作動油の流量を増減させる。即ち、操縦装置１９Ｆの操作量によって、油路４７から走行装置３の第１走行モータＭＬに供給する作動油の流量が増減し、走行装置３（作業機）が左に曲がる際の走行速度を変更することができる。
【００３３】
第２走行ペダル５１Ｒは、運転席６の前方で且つ右に配置され、且つ、第２走行モータＭＲに供給する作動油の流量を増減させる走行ペダルである。第２走行ペダル５１Ｒは、運転席６の下部に設けられたステップ等に横軸によって、前、後に揺動自在に支持されている。
第２走行検出部５２Ｒは、第２走行ペダル５１Ｒの前、後の中立位置からの揺動量（操作量）を検出するポテンションメータである。即ち、第２走行検出部５２Ｒは、第２走行ペダル５１Ｒが前に揺動した場合は、前操作量を検出する。また、第２走行検出部５２Ｒは、第２走行ペダル５１Ｒが後に揺動した場合は、後操作量を検出する。
【００３４】
第２走行検出部５２Ｒは、制御部６０に接続されている。第２走行検出部５２Ｒによって検出された第２走行ペダル５１Ｒの第２操作量（前操作量、後操作量）は、制御部６０に入力される。
制御部６０は、第２操作量（前操作量、後操作量）の大きさに応じて、前進電磁弁３７Ｈ１又は後進電磁弁３７Ｈ２に制御信号を出力して、前進電磁弁３７Ｈ１又は後進電磁弁３７Ｈ２の開度を設定する。したがって、第２走行ペダル５１Ｒを、例えば、オペレータが踏み込み、踏み込み量である第２操作量が第２走行検出部５２Ｒによって検出されると、制御部６０は、踏み込み量に応じて前進電磁弁３７Ｈ１又は後進電磁弁３７Ｈ２の開度を設定する。そのため、第２走行制御弁３３Ｈは前進電磁弁３７Ｈ１又は後進電磁弁３７Ｈ２の開度に応じて開き、第２走行制御弁３３Ｈから油路４８に流れる作動油の流量（第２供給量）を増減させる。即ち、操縦装置１９Ｆの操作量によって、油路４８から走行装置３の第２走行モータＭＲに供給する作動油の流量が増減し、走行装置３（作業機）が右に曲がる際の走行速度を変更することができる。
【００３５】
また、第１走行ペダル５１Ｌ及び第２走行ペダル５１Ｒを前進側又は後進側に同時に操作すれば、制御部６０は、第１操作量及び第２操作量に応じて走行電磁弁（前進電磁弁３７Ｇ１、３７Ｈ１、後進電磁弁３７Ｇ２、３７Ｈ２）の開度を設定する。例えば、第１走行ペダル５１Ｌ及び第２走行ペダル５１Ｒを前側に踏み込めば、制御部６０は、踏み込み量である操作量に応じて、前進電磁弁３７Ｇ１、３７Ｈ１の開度を設定する。その結果、第１走行モータＭＬ及び第２走行モータＭＲに供給する作動油の流量が増減し、走行装置３（作業機）の前進時の走行速度を変更することができる。
【００３６】
一方、第１走行ペダル５１Ｌ及び第２走行ペダル５１Ｒを後側に踏み込めば、制御部６０は、踏み込み量である操作量に応じて、後進電磁弁３７Ｇ２、３７Ｈ２の開度を設定す
る。その結果、第１走行モータＭＬ及び第２走行モータＭＲに供給する作動油の流量が増減し、走行装置３（作業機）の後進時の走行速度を変更することができる。
図２に示すように、作業機１は、操縦等の制御を行う操縦制御装置（制御装置）１５０を備えている。操縦制御装置１５０は、作業機１の状態を、操縦装置１９による作業機１の通常の操縦操作が可能な操縦可能状態と、操縦装置１９による作業機１の操縦操作が操縦可能状態よりも制限される操縦制限状態とに切り換える装置である。本実施形態では、操縦制限状態において操縦装置１９（１９Ｆ、１９Ｌ、１９Ｒ、１９Ｆ）による作業機１の操縦操作をできなくする。ただし、これに限らず、操縦制限状態において、操縦可能状態で操縦装置１９を用いて行うことのできる操縦操作のうちの一部のみを行えないようにしてもよい。
【００３７】
操縦制御装置１５０は、制御部６０と、操縦切換装置１１０とを含んでいる。操縦切換装置１１０は、制御部６０の指令（制御）によって操縦可能状態と操縦制限状態とに切り換えたり、手動によって操縦可能状態と操縦制限状態とに切り換えることができる装置である。操縦切換装置１１０は、アンロード弁（作動弁）９０と、操縦ロックスイッチ（ロック操作部）９２と、操縦ロックレバー（ロック操作部）９３とを有している。
【００３８】
アンロード弁９０は、作業系及び走行系の油圧アクチュエータへの作動油の供給を可能にする供給状態と、作業系及び走行系の油圧アクチュエータへの作動油の供給を停止する供給停止状態とに切り換えるアンロード弁である。詳しくは、アンロード弁９０は、供給状態にする第１位置９０Ａと、供給停止状態にする第２位置９０Ｂとに切換可能な２位置切換弁であって、パイロット油を供給するパイロット油路４９に接続されている。アンロード弁９０は、バネ５２等によって第２位置９０Ｂに付勢されている。アンロード弁９０は、操縦ロックレバー９３の操作によって第１位置９０Ａ及び第２位置９０Ｂに切り換え自在である。説明の便宜上、第１位置９０Ａをロード位置、第２位置９０Ｂをアンロード位置という。
【００３９】
操縦ロックレバー９３は、運転席６の側方において、下げた状態（下げ位置）と上げた状態（上げ位置）とに揺動自在に支持されている。操縦ロックスイッチ９２は、手動により操縦可能状態と操縦制限状態とに切り換えるためのスイッチであって、例えば、操縦ロックレバー９３の下部に設けられている。この場合、操縦ロックスイッチ９２は、操縦ロックレバー９３を下げた状態（下げ位置）と上げた状態（上げ位置）とを検出する装置で、下げ位置及び上げ位置は制御部６０に入力される。制御部６０は、下げ位置が入力されると、アンロード弁９０のソレノイドを励磁して、当該アンロード弁９０をロード位置９０Ａに切り換える。制御部６０は、上げ位置が入力されると、アンロード弁９０のソレノイドを消磁して、当該アンロード弁９０をアンロード位置９０Ｂに切り換える。
【００４０】
したがって、アンロード弁９０がアンロード位置である場合、電磁弁（ブーム電磁弁３７Ｃ、アーム電磁弁３７Ｄ、バケット電磁弁３７Ｅ、旋回電磁弁３７Ｆ、前進電磁弁３７Ｇ１、後進電磁弁３７Ｇ２、前進電磁弁３７Ｈ１、後進電磁弁３７Ｈ２）に作動油（パイロット油）が供給されなくなるため、操縦装置１９（１９Ｆ、１９Ｌ、１９Ｒ、１９Ｆ）による操縦操作ができなくなる（操縦制限状態になる）。一方、アンロード弁９０がロード位置である場合、電磁弁（ブーム電磁弁３７Ｃ、アーム電磁弁３７Ｄ、バケット電磁弁３７Ｅ、旋回電磁弁３７Ｆ、前進電磁弁３７Ｇ１、後進電磁弁３７Ｇ２、前進電磁弁３７Ｈ１、後進電磁弁３７Ｈ２）に作動油（パイロット油）が供給できるため、操縦装置１９（１９Ｆ、１９Ｌ、１９Ｒ、１９Ｆ）による操縦操作が可能になる、即ち、操縦可能状態にすることができる。
【００４１】
図１は、作業機の制御ブロックの概略図をしている。図１に示すように、作業機１は、制御部６０と、表示装置１００と、撮像装置１２０とを備えている。制御部６０、表示装置１００及び撮像装置１２０は、ＣＡＮ（Controller Area Network）やフレックスレイ（FlexRay）等の車載用通信ネットワークによって、相互通信が可能である。
表示装置１００は、作業機１に関する様々な表示を行ったり、作業機１に関する様々な設定を行うことが可能である。表示装置１００は、キャビン５の室内における運転席に着座したオペレータから視認可能な位置（例えば、運転席の前方、斜め前方、或いは側方）
に配置されている。撮像装置１２０は、作業機１の前部、後部、側部或いは上部に設けられたカメラ等であって、作業装置４の周辺、作業機１の後方等を撮像することが可能である。例えば、撮像装置１２０は、キャビン５の前部に設けられていて、ブーム１５、アーム１６、バケット（作業具）１７の周辺を撮像する。また、撮像装置１２０は、キャビン５の後部或いは後部ボンネットに設けられていて、後部ボンネットの後方、走行装置３の周辺を撮像する。或いは、撮像装置１２０を作業機１の側部に備え、機体側方を撮像するようにしてもよい。
【００４２】
制御部６０は、上述した油圧制御の他に、オートアイドル制御（ＡＩ制御）、ブーム高さ制御、アーム高さ制御などの様々な制御を行う。ＡＩ制御、ブーム高さ制御及びアーム高さ制御について説明する。
制御部６０には、操縦装置１９の操作量の他に、ガバナセンサからのガバナ角度（ガバナ位置）、アクセルレバーの操作量（角度）、アイドルスイッチ（ＡＩ-ＳＷ）のオン信号／オフ信号、エンジン回転センサからのエンジン回転数、アームの角度、ブームの角度などの信号が入力される。
【００４３】
ＡＩ制御では、操縦装置１９が操作されているときは、アクセルレバーの操作量に応じてエンジン回転数を増減し、操縦装置１９が操作されていないときは、エンジン回転数をアイドリング状態に固定する。
ブーム高さ制御では、ブーム１５の高さが予め設定されたブームの高さの上限値になったときに操縦装置１９の操作に関わらずブーム１５の上げ動作を停止する。ブーム高さ制御では、操縦装置１９によりブーム１５を上げ動作しているときはブームの角度が制御部６０に入力される。そして、制御部６０に入力されたブームの角度が上限値に達した際には、制御部６０は、ブーム電磁弁３７Ｃのソレノイドを消磁することによってブームの上げ動作を停止させる。
【００４４】
アームの角度制御は、アームの角度が予め設定されたアームの角度（アーム角度）の上限値又は下限値となったときに操縦装置１９の操作に関わらずアーム１６の掻き込み動作を停止するものである。詳しくは、アーム角度制御では、操縦装置１９によりアーム１６の掻き込み動作をしているときはアーム角度が制御部６０に入力される。そして、制御部６０に入力されたアーム電磁弁３７Ｄのソレノイドを消磁することによってアーム１６の掻き込み動作を停止させる。
【００４５】
図１に示すように、表示装置１００は、表示を行う表示部１０１を有している。表示部１０１は、可変表示部１０１ａと、固定表示部１０１ｂとを含んでいる。可変表示部１０１ａは、表示内容が可変の部位であって、液晶等のパネルから構成されている。固定表示部１０１ｂは、表示内容が固定の部位であって、ＬＥＤ等から構成されている。固定表示部１０１ｂでは、作業機１の警告等の有無をＬＥＤの点灯又は消灯によって表示する。
【００４６】
図３に示すように、可変表示部１０１ａは、例えば、メニュー画面Ｑ１、運転画面Ｑ２、設定画面Ｑ３等を表示可能である。メニュー画面Ｑ１は、基本情報が表示される画面であって、例えば、運転状況（詳細）、モード変更、各種設定、ワーニング等の項目を表示したり、作業機に関する情報として燃料残量、時間（時刻）等を表示する画面である。運転画面Ｑ２は、作業機１に設けられた撮像装置１２０の画像（周辺画像）等を表示する画面である。設定画面Ｑ３は、作業機１の様々な設定（機械設定という）を行うのに必要な情報を表示する画面（入力画面）である。設定画面Ｑ３では、例えば、高さ制御設定、ＡＩ制御設定、アーム制限設定等の機械設定に必要な情報を表示する。
【００４７】
図１に示すように、表示装置１００は、入力操作を行うための入力操作部１０２を有している。入力操作部１０２は、第１操作具１１１と、第２操作具１１２と、第３操作具１１３とを有している。
第１操作具１１１は、回転操作を行う回転操作部及び押圧操作が可能な押圧操作部を有する操作具であって、例えば、ロータリエンコーダスイッチである。具体的には、第１操作具１１１は、回転軸１１１ａと、回転軸１１１aに取付けられた回転操作部（摘み部）１１１ｂと、摘み部１１１ｂに設けられた押圧操作部（プッシュスイッチ）１１１ｃとを含んでいる。第１操作具１１１においては、オペレータが摘み部１１１ｂを回転軸１１１
ｂ周りに回転させることによって回転操作を行うことができ、回転操作による位置が内蔵されたエンコーダによって検出される。また、第１操作具１１１においては、オペレータがプッシュスイッチ１１１ｃを押すことによって押圧操作を行うことができる。
【００４８】
第２操作具１１２は、押圧操作を行う押圧操作部を有するスイッチであって、例えば、モーメンタリースイッチである。また、第３操作具１１３も、押圧操作を行う押圧操作部を有するスイッチであって、例えば、モーメンタリースイッチである。第２操作具１１２及び第３操作具１１３においては、オペレータがスイッチを押すことによって押圧操作を行うことができる。
【００４９】
なお、表示装置１００の表示部１０１は、表示及び入力操作部１０２を兼用するタッチパネル、即ち、オペレータによる表示部１０１へのタッチ操作を受け付けるタッチ操作部を有するものであってもよい。また、表示装置１００の入力操作部１０２は、回転操作を行う回転操作部、押圧操作を行う押圧操作部、タッチ操作部のうちのいずれか１つ以上を備えいてればよく、上述した実施形態に限定されない。また、表示装置１００の入力画面として、設定画面Ｑ３を例示したが、表示装置１００において何らかの入力を行う画面であればよく、例えば、メニュー画面Ｑ１であってもよいし、メニュー画面Ｑ１及び設定画面Ｑ３の両方を含めても良いし、その他の画面であってもよく限定されない。
【００５０】
以上の表示装置１００によれば、メニュー画面Ｑ１、運転画面Ｑ２、設定画面Ｑ３等を表示することができ、入力操作部１０２によって様々な入力操作を行うことができる。
さて、制御部６０は、上述した入力操作部１０２による入力操作を検出可能である。即ち、制御部６０は、第１操作具１１１による回転操作、第１操作具１１１による押圧操作、第２操作具１１２による押圧操作、第３操作具１１３による押圧操作を検出可能である。具体的には、第１操作具１１１による回転操作、第１操作具１１１による押圧操作、第２操作具１１２による押圧操作、第３操作具１１３による押圧操作を示す操作信号（第１操作信号という）が制御部６０に入力される。或いは、第１操作具１１１、第２操作具１１２、第３操作具１１３のいずれかが操作されたことを示す操作信号（第２操作信号）が表示装置１００等から入力される。制御部６０は、第１操作信号又は第２操作信号が入力された時点で、入力操作部１０２による入力操作を検出する。
【００５１】
制御部６０は、入力操作部１０２によって所定の入力操作が行われた際に、操縦切換装置１１０によって操縦制限状態にする操縦切換処理を実行する。ここで、所定の入力操作とは、例えば、表示装置１００に対して操作が行われていない状況下において、オペレータが表示装置１００に対して入力の操作を行うことを作業機１等に宣言する（伝える）入力操作である。言い換えれば、所定の入力操作とは、表示装置１００に対して操作が行われていない状況下において、オペレータが連続して入力操作を行う意思があることを最初に伝える操作である。
【００５２】
具体的には、図３に示すように運転画面Ｑ２を表示している状態で所定の入力操作として押圧操作部（プッシュスイッチ）１１１ｃによる押圧操作が行われた場合、及びメニュー画面Ｑ１を表示している状態で所定の入力操作としてプッシュスイッチ１１１ｃによる押圧操作が行われた場合、制御部６０は、操縦切換処理に移行する。即ち、この実施形態において、制御部６０は、所定の入力操作として、プッシュスイッチ１１１ｃによる押圧操作が行われた場合に操縦制限状態にする。
【００５３】
操縦切換処理において、プッシュスイッチ１１１ｃの押圧操作時に、作業機１が既に操縦制限状態である場合は、制御部６０は、アンロード弁９０のソレノイドを消磁する制御信号の出力を続け、操縦制限状態を維持する。一方、操縦切換処理において、プッシュスイッチ１１１ｃの押圧操作時に操縦可能状態である場合、制御部６０は、アンロード弁９０のソレノイドを消磁する制御信号をアンロード弁９０に出力することにより、操縦可能状態から操縦制限状態に切り換える。
【００５４】
制御部６０は、操縦切換処理の開始後であって、操縦制限状態の維持、又は、操縦可能状態から操縦制限状態に切り換えた後は、続けて、入力操作部１０２による入力操作が行われるか否かを監視する。
復帰処理は、制御部６０が操縦切換処理に移行する前（操縦切換処理の開始直前）にお
ける操縦切換装置１１０の切換前状態、即ち、入力操作部１０２の入力操作の検出前の操縦切換装置１１０の状態に基づいて行われる。この実施形態では、切換前状態とは、操縦ロックレバー９３の状態のことである。図１に示すように、制御部６０は、不揮発性のメモリ等から構成された記憶部６１を有しており、当該記憶部６１は、切換前状態として、作業機１が操縦可能状態であるか、操縦制限状態であるかを記憶（保持）している。
【００５５】
制御部６０は、復帰処理に入ると、記憶部６１を参照することにより、切換前状態が操縦可能状態、操縦制限状態のいずれであったかを判定する。切換前状態が操縦可能状態であった場合には、復帰処理において、制御部６０は、操縦切換装置１１０を操縦制限状態から操縦可能状態に切り換えさせる。また、切換前状態が操縦制限状態であった場合には、復帰処理において、制御部６０は、アンロード弁９０のソレノイドを消磁する制御信号の出力を続け、操縦切換装置１１０を操縦制限状態に維持する。
【００５６】
なお、本実施形態では、入力操作部１０２における前記所定の入力操作として、プッシュスイッチ１１１ｃの操作を例示したが、前記所定の入力操作はこれに限定されず、後述するように、押圧操作、回転操作、タッチ操作のいずれかであってもよい。
次に、メニュー画面Ｑ１、運転画面Ｑ２、設定画面Ｑ３、入力操作部１０２における入力操作、制御部６０による操縦切換処理及び復帰処理の関係について詳しく説明する。図４Ａは、メニュー画面Ｑ１、運転画面Ｑ２及び設定画面Ｑ３の画面推移を示すフローチャートである。
【００５７】
図４Ａに示すように、例えば、オペレータが、キーシリンダに挿入したキー（エンジンキー）をオン位置、即ち、キーをＯＮすると、表示装置１００の表示部１０１にプログラム等の起動画面（例えば、ロゴ等の表示をしながら起動する画面）を表示する（Ｓ１）。プログラム等の起動の終了後、表示装置１００は、表示部１０１にメニュー画面Ｑ１を表示する（Ｓ２）。
【００５８】
また、表示部１０１にメニュー画面Ｑ１を表示した状態（Ｓ２）において、操縦ロックレバー９３を下げる（Ｓ３、Ｙｅｓ）と、表示装置１００は、表示部１０１に運転画面Ｑ２を表示する（Ｓ４）。表示部１０１に運転画面Ｑ２を表示した状態（Ｓ４）では、操縦ロックレバー９３を下げた状態であるか否かの判定を行う処理に移行する（Ｓ５：切換判定処理）。運転画面Ｑ２の表示後の切換判定処理Ｓ５において、操縦ロックレバー９３を上げた（操縦ロックレバー９３を下げない）場合（Ｓ５、Ｎｏ）、表示装置１００は、表示部１０１にメニュー画面Ｑ１を表示する（Ｓ６）。また、メニュー画面Ｑ１の表示（Ｓ２）後にエンジンを始動すると、プログラム（ソフトウェア）は一旦リセットされ、再び、メニュー画面Ｑ１の表示（Ｓ２）後の状態に復帰する。
【００５９】
メニュー画面Ｑ１では、入力操作部１０２（第１操作具１１１、第２操作具１１２、第３操作具１１３）における入力操作を受け付けることができる。図３に示すように、例えば、メニュー画面Ｑ１では、オペレータが第１操作具１１１の摘み部１１１ｂを回して回転操作を行うと、カーソルＫが移動し、カーソルＫによって選択されている選択項目の候補（選択項目候補という）を変更することができる。メニュー画面Ｑ１において、選択項目候補が選択されている状態で、選択項目の決定操作、例えば、第３操作具１１３を選択すると、「運転状況」、「モード変更」、「各種設定」等の選択項目を決定することができる。即ち、表示装置１００は、第１操作具１１１によって回転操作を行うことにより、複数の選択項目候補を変更し、第１操作具１１１によって押圧操作を行うことによって、選択項目を決定することができる。
【００６０】
メニュー画面Ｑ１を表示した状態（Ｓ６）で「各種設定」の決定操作が行われる（Ｓ７、Ｙｅｓ）と、表示装置１００は、メニュー画面Ｑ１から設定画面Ｑ３に切り換える（Ｓ８）。「各種設定」の決定操作が行われない（Ｓ７、Ｎｏ）場合、操縦ロックレバー９３を下げた状態であるか否かの判定を行う処理に戻る（Ｓ３）。
また、運転画面Ｑ２の表示（Ｓ４）後の切換判定処理Ｓ５において、操縦ロックレバー９３を下げた場合（Ｓ５、Ｙｅｓ）、制御部６０は、所定の入力操作であるプッシュスイッチ１１１ｃによる押圧操作が行われたか否かの判定を行う（Ｓ９）。即ち、制御部６０は、運転画面Ｑ２が表示された状態（Ｓ４）で且つ操縦ロックレバー９３が下げられた状
態（Ｓ５、Ｙｅｓ）では、プッシュスイッチ１１１ｃによる押圧操作が行われたか否かの判定を行う（Ｓ９）。
【００６１】
ここで、プッシュスイッチ１１１ｃの押圧操作を行わなかった場合（Ｓ９、Ｎｏ）は、運転画面Ｑ２の表示を継続する。一方、オペレータがプッシュスイッチ１１１ｃによる押圧操作を行った場合（Ｓ９、Ｙｅｓ）、制御部６０は、割り込みにより、操縦切換処理を実行して、操縦切換装置１１０を制御して操縦制限状態にする（Ｓ１０）。そして、操縦制限状態になると、表示装置１００は、運転画面Ｑ２からメニュー画面Ｑ１に切り換える（Ｓ１１）。
【００６２】
メニュー画面Ｑ１を表示した状態（Ｓ１１）で「各種設定」の決定操作が行われる（Ｓ１２、Ｙｅｓ）と、表示装置１００は、メニュー画面Ｑ１から設定画面Ｑ３に切り換える（Ｓ１３）。メニュー画面Ｑ１を表示した状態で「各種設定」の決定操作が行われない場合（Ｓ１２、Ｎｏ）は、プッシュスイッチ１１１ｃによる押圧操作が行われていないか否かの判定に移行する（Ｓ１４）。プッシュスイッチ１１１ｃによる押圧操作が行われた場合（Ｓ１４、Ｙｅｓ）は、制御部６０による復帰処理（Ｓ１５）を行った後、表示装置１００は、メニュー画面Ｑ１から運転画面Ｑ２に切り換える（Ｓ４）。プッシュスイッチ１１１ｃによる押圧操作が行われない場合（Ｓ１４、Ｎｏ）は、メニュー画面Ｑ１の表示を維持する。
【００６３】
以上のように、エンジンの始動に関わらず、運転画面Ｑ２を表示し且つ操縦ロックレバー９３を下げた場合（Ｓ５、Ｙｅｓ）、作業機は操縦可能状態であるため、オペレータは操縦によって作業機を動かすことができる。このような状況において、オペレータがプッシュスイッチ１１１ｃによる押圧操作を行うことによって（Ｓ９、Ｙｅｓ）、作業機を操縦可能状態から操縦制限状態にすることができる（Ｓ１０）。即ち、設定画面Ｑ３において、機械設定を行う場合には、操縦制限することにより、作業機を通常よりも動かさないようにすることができる。プッシュスイッチ１１１ｃによる押圧操作（Ｓ９、Ｙｅｓ）を経て設定画面Ｓ３を表示した場合、再び、プッシュスイッチ１１１ｃによる押圧操作（Ｓ１４、Ｙｅｓ）を行うまで操縦制限状態を維持することができる。つまり、１回目のプッシュスイッチ１１１ｃによる押圧操作（Ｓ９、Ｙｅｓ：第１押圧操作）後、２回目のプッシュスイッチ１１１ｃによる押圧操作（Ｓ１４、Ｎｏ：第２押圧操作）が行われていない状態では、表示装置１００は入力操作部に対する入力の受付を完了しておらず、２回目のプッシュスイッチ１１１ｃによる押圧操作（Ｓ１４、Ｎｏ：第２押圧操作）が実行された時点で、表示装置１００は入力操作部に対する入力の受付を完了する。
【００６４】
制御部６０は、入力操作部に対する入力の受付を完了すると、復帰処理に移行し、復帰状態では、１回目のプッシュスイッチ１１１ｃによる押圧操作が行われる前の状態（切換前状態）が操縦可能状態であった場合には操縦制限状態から操縦可能状態に切り換える。なお、図４Ａでは示されていないが、切換前状態が操縦制限状態であった場合には、復帰処理では、操縦制限状態に維持する。
【００６５】
図５は、設定画面Ｑ３において、機械設定のうち、Ａ１制御設定を行う画面推移を示した図である。図５に基づいてＡＩ制御設定について説明する。
図５に示すように、設定画面Ｑ３では、まず、機械設定を行う複数の選択項目、例えば、「高さ制御設定」、「ＡＩ制御設定」、「アーム制限設定」が表示される。ここで、オペレータが第１操作具１１１の摘み部１１１ｂを回して回転操作を行うと、カーソルＫが移動することにより、選択されている選択項目の候補（選択項目候補という）を変更することができる。
例えば、設定画面Ｑ３において、「ＡＩ制限設定」という選択項目候補にカーソルＫを合わせ、オペレータが第３操作具１１３を押すと、選択項目が決定する。
【００６６】
そして、「ＡＩ制限設定」の選択項目が決定後は、設定画面Ｑ３がアイドリング回転数を設定する画面Ｑ３−１に切り換わる。画面Ｑ３−１では、摘み部１１１ｂの回転操作によって、当該画面Ｑ３−１に表示されたアイドリング回転数の値を変更する（増減させる）ことができる。画面Ｑ３−１でアイドリング回転数を変更後、第３操作具１１３を押すと、画面Ｑ３−１（設定画面Ｑ３）に表示された変更後のアイドリング回転数の値（設定
値）が新たなアイドリング回転数として更新される。アイドリング回転数の変更後は、設定画面Ｑ３は、アイドリング回転数に更新されたことを示す画面Ｑ３−２に切り換わる。画面Ｑ３−２において、再び第３操作具１１３を押すと、設定画面Ｑ３におけるアイドリング回転数の設定が完了し、少なくとも１つ前の画面、例えば、設定画面Ｑ３に戻り、設定画面Ｑ３によって続けて機械設定を行うことができる。
【００６７】
さて、設定画面Ｑ３では操縦制限状態になっているが、当該設定画面Ｑ３において、操縦切換装置１１０を一時的に操縦制限状態から操縦可能状態に切り換えてもよい。
図６に基づいて、操縦切換装置１１０を操縦制限状態から操縦可能状態に一時的に切り換える場合について説明する。図６は、アーム制限設定の画面推移を示した図である。
図６に示すように、設定画面Ｑ３において、「アーム制限設定」という選択項目候補にカーソルＫを合わせ、オペレータが第３操作具１１３を押すと、選択項目が「アーム制限設定」に決定する。なお、カーソルＫを移動させる操作をした時点で、制御部６０は操縦切換処理に移行している。
【００６８】
そして、「アーム制限設定」の選択項目に決定後は、設定画面Ｑ３として、アーム１６の位置を制限位置にすることを指示する画面Ｑ３−３が表示される。画面Ｑ３−３が表示されている状態で且つ操縦装置１９Ｌにおいてアーム１６を上昇又は下降させる操作を行った時点（アーム１６の上昇又は下降させる操作が入力された時点）で、制御部６０は、一時的に、操縦切換装置１１０を操縦制限状態から操縦可能状態に切り換える。
【００６９】
操縦切換装置１１０が操縦可能状態に一時的に切り換えられた後、オペレータは、操縦装置１９Ｌを操作し、アーム１６を所望の制限位置（上限位置、下限位置）にする。そして、画面Ｑ３−３が表示されている状態で第１操作具１１１のプッシュスイッチ１１１ｃ等を押した場合、制御部６０は、操縦切換装置１１０を操縦可能状態から操縦制限状態に切り換えることにより、操縦制限状態に戻る。
【００７０】
また、画面Ｑ３−３が表示されている状態において、第３操作具１１３が押されると、アーム角度の上限値や下限値は更新され、設定画面Ｑ３は、アーム制限設定が更新されたことを示す画面Ｑ３−４に切り換わる。画面Ｑ３−４において、第２操作具１１３を押すと、表示装置１００の画面（制御部６０）は、メニュー画面Ｑ１の表示に戻る。また、操縦制限状態において、第１操作具１１１を押すと、制御部６０は復帰処理に移行した後、操縦切換処理を終了する。
【００７１】
本実施形態においては、作業機１は、走行装置３、作業装置４、旋回モータＭＴ及びドーザ装置７に対する操縦操作を行う操縦装置１９と、操縦装置１９による操縦操作が可能な操縦可能状態と操縦装置１９による操縦操作を制限する操縦制限状態とに制御可能な制御装置１５０と、表示部１０１と入力操作部１０２とを有する表示装置１００とを備え、制御装置１５０は、入力操作部１０２で所定の入力操作が行われた際（例えば、プッシュスイッチ１１１ｃによる押圧操作が行われた際）に、操縦可能状態から操縦制限状態にする。その結果、オペレータが入力操作を行うことをプッシュスイッチ１１１ｃによって意思表示した場合には、操縦装置１９による作業装置４の操縦を制限することができる。
【００７２】
作業機１は、当該作業機１の周辺画像を撮像する撮像装置１２０を備え、表示装置１００は、操縦可能状態であるときには表示部１０１に撮像装置１２０が撮像した周辺画像を表示させる。そのため、操縦装置１９によって作業装置４の操縦を行う場合には、オペレータは、作業機１の周辺画像を見ながら作業装置４の操縦を行うことができる。
制御装置１５０は、入力操作部１０２で所定の入力操作が行われた際に、操縦制限状態にすると共に、表示部１０１に、作業機１に関する設定を入力操作部を用いて行う入力画面を表示させる。そのため、表示部１０１に表示した入力画面に対してオペレータが入力操作部１０２を用いて作業機１に関する設定を行う場合に、操縦装置１９による作業機１の操縦を自動的に確実に制限することができる。
【００７３】
制御装置１５０は、入力画面の入力操作が完了したときに、撮像装置１２０が撮像した表示部１０１に周辺画像を表示させる。そのため、入力画面に対する操作が完了した後に、オペレータがわざわざ、周辺画像を表示する操作を行わなくても、素早く、周辺画像を確認しながら作業装置４の操縦を行うことができ、作業に集中することができる。
制御装置１５０は、前記所定の入力操作が行われる前に操縦可能状態であったか操縦制限状態であったかを記憶する記憶部を備え、制御装置１５０は、所定の入力操作が行われた後、表示装置１００に対する入力の受付を完了したときに、切換前状態が操縦可能状態であった場合には操縦制限状態から操縦可能状態に切り換え、切換前状態が操縦制限状態であった場合には操縦制限状態に維持する。そのため、表示装置１００が入力操作部１０２の受付を完了後に、オペレータが、切換前状態がどうであったかを気にしなくても、当該切換前状態に復帰することができる。
【００７４】
制御装置１５０は、操縦可能状態と操縦制限状態とに切り換えるためのロック操作部（操縦ロックスイッチ９２、操縦ロックレバー９３）を備えている。そのため、オペレータは、ロック操作部によって簡単に操縦制限状態にすることができる。なお、操縦ロックスイッチ９２及び操縦ロックレバー９３の一方又は両方を省略してもよい。
入力操作部として、オペレータによる押圧操作を受け付ける押圧操作部、オペレータによる回転操作を受け付ける回転操作具、およびオペレータによる表示部１０１へのタッチ操作を受け付けるタッチ操作部のうちのいずれか１つ以上を備えている。このため、作業機１に対する入力操作を容易に行うことができる。
【００７５】
入力操作部として、オペレータの回転操作および押圧操作を受け付ける第１操作具１１１と、オペレータによる押圧操作を受け付ける第２操作具１１２および第３操作具１１３とを備え、前記所定の操作は第１操作具１１１に対する押圧操作であり、制御装置１５０は、第１操作具１１１の回転操作に応じて表示部１０１に表示される複数の選択項目のうちの選択項目候補を変更させ、第３操作具１１３の押圧操作により選択項目を決定し、第２操作具１１２の押圧操作に応じて決定した選択項目のキャンセル（例えば、１つ前の表示画面に戻る操作）を行う。そのため、作業機１に対する入力操作を行う場合（例えばオペレータが作業機１の機械設定等を行う場合）に、まず、第１操作具１１１を押圧操作することにより、操縦切換装置１５０によって操縦制限状態に切り換えることができる。また、機械設定の項目である選択項目候補を、ロータリエンコーダ付きの第１操作具１１１によって簡単に変更することができる。また、第１操作具１１１とは異なる押圧操作を行う第３操作具１１３によって、選択項目候補を容易に決定することができる。また、第３操作具１１３とは異なる第２操作具１１２の押圧操作によって、決定した選択項目のキャンセル（例えば１つ前の表示画面に戻る操作）を容易に行うことができる。
【００７６】
なお、図４Ｂは、図４Ａの変形例を示している。図４Ｂにおいて、Ｓ１〜Ｓ６及びＳ８〜Ｓ１５は図４Ａと同様である。図４Ｂに示すように、制御部６０は、メニュー画面Ｑ１を表示した状態（Ｓ６）でプッシュスイッチ１１１ｃによる押圧操作が行われていないか否かの判定に移行する（Ｓ１６）。プッシュスイッチ１１１ｃによる押圧操作が行われた場合（Ｓ１６、Ｙｅｓ）は、決定操作が行われたか否かの判定に移行し（Ｓ１７）、決定操作後（Ｓ１７、Ｙｅｓ）、設定画面Ｑ３を表示することができる（Ｓ８）。即ち、図４Ｂでは、作業機１における作業待機時（操縦ロックレバー９３の上げ、Ｓ３、Ｎｏ）等において、表示装置１００に対する入力操作の宣言を、オペレータがプッシュスイッチ１１１ｃによる押圧操作によって行うことができ（Ｓ１６、Ｙｅｓ）、入力宣言後は設定画面Ｑ３等の操作を行うことができる（Ｓ８）。
【００７７】
また、メニュー画面Ｑ１を表示した状態（Ｓ６）で「各種設定」の決定操作が行われない場合（Ｓ１７、Ｎｏ）は、プッシュスイッチ１１１ｃによる押圧操作が行われていないか否かの判定に移行する（Ｓ１８）。プッシュスイッチ１１１ｃによる押圧操作が行われない場合（Ｓ１８、Ｎｏ）は、メニュー画面Ｑ１の表示を維持する。一方、プッシュスイッチ１１１ｃによる押圧操作が行われた場合、（Ｓ１８、Ｙｅｓ）は、操縦ロックレバー９３を下げた状態であるか否かの判定を行う処理に戻る（Ｓ３）。即ち、図４Ｂでは、作業機１における作業待機時（Ｓ３、Ｎｏ）において、表示装置１００に対する入力操作の宣言後（Ｓ１６、Ｙｅｓ）に表示装置１００に対する入力操作の完了を、オペレータがプッシュスイッチ１１１ｃによる押圧操作によって行うことができる（Ｓ１８、Ｙｅｓ）。［第２実施形態］
図７は、第２実施形態における作業機の制御ブロックを示し、図８は、第２実施形態に
おける作業機の油圧システムを示している。第１実施形態では、入力操作部１０２で所定の入力操作が行われた際、操縦切換装置１１０（アンロード弁９０）を切り換えることによって機械的に操縦制限状態にしていたが、第２実施形態はアンロード弁９０を用いずに電気的に操縦制限状態にする実施形態である。第２実施形態の説明では、第１実施形態と異なる構成について説明する。
【００７８】
図７及び図８に示すように、制御装置１５０は、ＣＰＵ等から構成された装置であって、複数の電磁弁３７Ｃ、３７Ｄ、３７Ｅ、３７Ｆ、３７Ｇ１、３７Ｇ２、３７Ｈ１、３７Ｈ２が接続されている。制御装置１５０は、第１実施形態で示した制御部６０と同様に、油圧制御、オートアイドル制御（ＡＩ制御）、ブーム高さ制御、アーム高さ制御などの様々な制御を行うことが可能である。
【００７９】
また、制御装置１５０は、所定の入力操作、即ち、プッシュスイッチ１１１ｃによる押圧操作が行われた場合は、操縦切換処理を実行する。制御装置１５０は、操縦切換処理において、操縦装置１９Ｌ、操縦装置１９Ｒ及び操縦装置１９Ｆが操作され、当該操縦装置の操作量が入力された場合でも、電磁弁を消磁した状態にする、即ち、操縦装置からの操作を受け付けない。一方、制御装置１５０は、操縦切換処理を実行していない状態では、操縦装置１９Ｌ、操縦装置１９Ｒ及び操縦装置１９Ｆが操作され、当該操縦装置の操作量が入力された場合は、操縦装置からの操作を受け付け、操縦装置の操作量に基づいて電磁弁を制御する。
【００８０】
以上、第２実施形態では、制御装置１５０をＣＰＵ等で構成することによって、電気的に操縦可能状態と操縦制限状態とに切換を行うことができ、入力操作部１０２で所定の入力操作が行われた際には操縦制限状態にすることができる。
なお、第２実施形態において、手動により操縦可能状態と操縦制限状態とに切り換えるための操縦ロックスイッチ（ロック操作部）９２を設けることが好ましい。この場合、操縦ロックスイッチ９２は、オペレータが直接操作できる切換スイッチであっても、第１実施形態で示したように、操縦ロックレバー９３の揺動を検出するようなスイッチであってもよい。
【００８１】
また、図９に示すように、パイロット油路４９に逆止弁１９１を設け、逆止弁１９１の下流側に二位置に切り換わる切換弁１９２を設け、切換弁１９２にアキュムレータ１９３を接続する。そして、切換弁１９２によって、アキュムレータ１９３をパイロット油路４９に接続する接続状態と、アキュムレータ１９３をパイロット油路４９に接続しない非接続状態とに切り換えるようにしてもよい。
［第３実施形態］
図１０は、第３実施形態におけるメニュー画面、運転画面及び設定画面の画面推移を示すフローチャートである。第１実施形態及び第２実施形態では、作業機１は、操縦ロックスイッチ９２と操縦ロックレバー９３を備えているが、第３実施形態では操縦ロックスイッチ９２と操縦ロックレバー９３を用いずに当該操縦ロックスイッチ９２と操縦ロックレバー９３を、プッシュスイッチ１１１ｃで兼用化している。第３実施形態では、作業機の操縦制限が行われているか否かを表示する報知部（例えば、ランプ）が運転席６の近傍に設けられている。
【００８２】
図１０に示すように、オペレータがキーをＯＮ後、表示装置１００の表示部１０１に起動画面を表示する（Ｓ１）。そして、表示装置１００は、表示部１０１にメニュー画面Ｑ１を表示する（Ｓ２）。また、表示部１０１にメニュー画面Ｑ１を表示した状態（Ｓ２）で且つ決定操作をすると（Ｓ２１、Ｙｅｓ）、表示装置１００は、表示部１０１に設定画面Ｑ３を表示する（Ｓ２２）。また、メニュー画面Ｑ１を表示した状態（Ｓ２）で「各種設定」の決定操作が行われない場合（Ｓ２１、Ｎｏ）は、プッシュスイッチ１１１ｃによる押圧操作が行われていないか否かの判定に移行する（Ｓ２３）。プッシュスイッチ１１１ｃによる押圧操作が行われない場合（Ｓ２３、Ｎｏ）は、メニュー画面Ｑ１の表示を維持する。一方、プッシュスイッチ１１１ｃによる押圧操作が行われた場合（Ｓ２３、Ｙｅｓ）は、制御部６０は、操縦切換装置１５０を制御することで作業機を操縦可能（Ｓ２４）に切り換え、表示装置１００は運転画面Ｑ２を表示する（Ｓ２５）。この時、ランプは
消灯（ＯＦＦ）していて、作業機が操縦可能であることを報知する。また、メニュー画面Ｑ１の表示（Ｓ２）後にエンジンを始動すると、プログラム（ソフトウェア）は一旦リセットされ、再び、メニュー画面Ｑ１の表示（Ｓ２）後の状態に復帰する。
【００８３】
また、制御部６０は、運転画面Ｑ２が表示されている状態（Ｓ２５）において、所定の入力操作であるプッシュスイッチ１１１ｃによる押圧操作が行われたか否かの判定を行う（Ｓ２６）。ここで、プッシュスイッチ１１１ｃの押圧操作を行わなかった場合（Ｓ２６、Ｎｏ）は、運転画面Ｑ２の表示を維持する。プッシュスイッチ１１１ｃによる押圧操作が行われた場合（Ｓ２６、Ｙｅｓ）、制御部６０は、割り込みにより、操縦切換処理を実行して、操縦切換装置１１０を制御して操縦制限状態にする（Ｓ２７）。この時、ランプは点灯（ＯＮ）し、作業機が操縦制限可能であることを報知する。図１０では、Ｓ２７以降は、図４ＡにおけるＳ１１〜Ｓ１５と同じである。なお、復帰処理（Ｓ１５）において、作業機が操縦制限状態から操縦可能状態に切り換えられた場合には、ランプは消灯（ＯＦＦ）し、作業機が操縦可能であることを報知する。
【００８４】
今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００８５】
１    作業機
１９、１９Ｆ、１９Ｌ、１９Ｒ    操縦装置
６０    制御部
６１    記憶部
９２  操縦ロックスイッチ（ロック操作部）
９３  操縦ロックレバー（ロック操作部）
１００    表示装置
１０１    表示部
１０２    入力操作部
１１０    操縦切換装置
１１１    第１操作具
１１２    第２操作具
１１３    第３操作具
１２０    撮像装置
１５０    制御装置（操縦制御装置）
【図１】
2018104931.tif 000003
【図２】
2018104931.tif 000004
【図３】
2018104931.tif 000005
【図４Ａ】
2018104931.tif 000006
【図４Ｂ】
2018104931.tif 000007
【図５】
2018104931.tif 000008
【図６】
2018104931.tif 000009
【図７】
2018104931.tif 000010
【図８】
2018104931.tif 000011
【図９】
2018104931.tif 000012
【図１０】
2018104931.tif 000013
【図１１】
2018104931.tif 000014
【図１２】
2018104931.tif 000015